(57)【特許請求の範囲】
【請求項１】
外箱と内箱との間に断熱材を充填した自動販売機本体と、前記本体の前面開口部に設けられたドアと、前記本体内に設けられた商品収容部と、前記本体内に前記商品収容部と断熱して仕切られた制御装置収容部と、前記商品収容部内に設けられた商品収容棚と、前記商品収容棚から取り出された商品を商品搬出口へ搬送する商品搬送装置と、前記商品収容部内を加温または冷却する冷熱装置と、前記制御装置収容部内に設けられ販売可否，商品搬出，販売データ管理等を行う制御装置と、前記商品収容部内を複数の空間に仕切る断熱体と、前記ドアの前記制御装置収容部に対向する位置に形成された接客部と、前記ドアの前記商品収容部に対向する位置に形成され枠部内側に透明パネルを嵌め込んだパネル体と、前記パネル体内面に密着して設けられ前記ドア閉鎖時に前記断熱体の前面と密着する断熱板と、前記パネル体に着脱可能に取り付けられ前記断熱板を保持する保持部と、前記パネル体の透明パネルと前記断熱板との間に挿入された表示板とを備え、前記保持部を取り外すことにより、前記断熱板と前記表示板とが前記透明パネルと密着しなくなることを特徴とした自動販売機。
【請求項２】
断熱板の端部に形成した突出部と、パネル体の枠部に形成され前記突出部が挿入される切り込みとを備えた請求項１記載の自動販売機。
【請求項３】
断熱板が回動可能に軸支された請求項１記載の自動販売機。
【発明の詳細な説明】
【０００１】
【発明の属する技術分野】
本発明は、主としてショーケースによる商品の販売を自動化した自動販売機に関するものである。
【０００２】
【従来の技術】
販売する商品を外部より視認可能とする自動販売機においては、特開平７−１２１７６５号公報に示すものがある。図４に従来の外部より販売する商品を視認可能とする自動販売機を示す。図４において、装置本体１は外箱２内に商品を陳列しており、装置本体１とヒンジにて軸支されたドア３とで構成されている。ドア３には、外箱２内に陳列した全ての商品を外部から視認できるように、透明のパネル体４で広く窓が形成され、また、パネル体４の脇には硬貨などの支払手段を受け入れる接客部５が設けられている。パネル体４は、断熱を考慮して透明な二重ガラスなどで構成されている。
【０００３】
【発明が解決しようとする課題】
しかしながら上記従来の構成では、１台の自動販売機において加温された商品と冷却された商品を販売することができず、内箱に断熱壁を設けていても、パネル体と断熱壁の密着部において冷気が漏れてしまうという問題点を有している。
【０００４】
また、パネル体が透明なガラスなどで構成されているためパネル体と断熱壁の密着部が消費者に見えてしまい、消費者の購買意欲を低減させる要因となる。そのため密着部に断熱板を設けると、パネル体と断熱板の密着部は商品案内を行う良い部分となりうるが、その反面商品の変更等により商品案内を変える必要があり、その性格上、断熱板を取り外せるように構成することが求められている。
【０００５】
本発明は上記問題に鑑みてなされたものであり、販売する商品を外部より視認可能とする自動販売機において商品収容部を上下に分割する断熱壁とパネル体との密着部に断熱板を設け、その断熱板を取り外し可能とすることを目的としている。
【０００６】
【課題を解決するための手段】
本発明は、外箱と内箱との間に断熱材を充填した自動販売機本体と、前記本体の前面開口部に設けられたドアと、前記本体内に設けられた商品収容部と、前記本体内に前記商品収容部と断熱して仕切られた制御装置収容部と、前記商品収容部内に設けられた商品収容棚と、前記商品収容棚から取り出された商品を商品搬出口へ搬送する商品搬送装置と、前記商品収容部内を加温または冷却する冷熱装置と、前記制御装置収容部内に設けられ販売可否，商品搬出，販売データ管理等を行う制御装置と、前記商品収容部内を複数の空間に仕切る断熱体と、前記ドアの前記制御装置収容部に対向する位置に形成された接客部と、前記ドアの前記商品収容部に対向する位置に形成され枠部内側に透明パネルを嵌め込んだパネル体と、前記パネル体内面に密着して設けられ前記ドア閉鎖時に前記断熱体の前面と密着する断熱板と、前記パネル体に着脱可能に取り付けられ前記断熱板を保持する保持部と、前記パネル体の透明パネルと前記断熱板との間に挿入された表示板とを備え、前記保持部を取り外すことにより、前記断熱板と前記表示板とが前記透明パネルと密着しなくなる。
【０００７】
この本発明によれば、上下に分割された商品収容部が互いの部屋に冷気を漏らすことなく、また、前記断熱板を設けることにより、前記パネル体と前記断熱壁の密着部が消費者の目に触れることもない。さらに前記断熱板に表示板を構成することにより、表示板にて販売する商品をアピールでき、消費者の購買意欲をさらに高めることができる。また、前記断熱板を、前記保持部にて前記パネル体に保持することにより、前記保持部の解放によって前記断熱板を取り外すことができ、販売する商品の変更に応じて、表示板を取り替えることができる。
【０００８】
【発明の実施の形態】
本発明は、外箱と内箱との間に断熱材を充填した自動販売機本体と、前記本体の前面開口部に設けられたドアと、前記本体内に設けられた商品収容部と、前記本体内に前記商品収容部と断熱して仕切られた制御装置収容部と、前記商品収容部内に設けられた商品収容棚と、前記商品収容棚から取り出された商品を商品搬出口へ搬送する商品搬送装置と、前記商品収容部内を加温または冷却する冷熱装置と、前記制御装置収容部内に設けられ販売可否，商品搬出，販売データ管理等を行う制御装置と、前記商品収容部内を複数の空間に仕切る断熱体と、前記ドアの前記制御装置収容部に対向する位置に形成された接客部と、前記ドアの前記商品収容部に対向する位置に形成され枠部内側に透明パネルを嵌め込んだパネル体と、前記パネル体内面に密着して設けられ前記ドア閉鎖時に前記断熱体の前面と密着する断熱板と、前記パネル体に着脱可能に取り付けられ前記断熱板を保持する保持部と、前記パネル体の透明パネルと前記断熱板との間に挿入された表示板とを備え、前記保持部を取り外すことにより、前記断熱板と前記表示板とが前記透明パネルと密着しなくなることを特徴としたものであり、この本発明によれば、上下に分割された内箱内が互いの部屋に冷気を漏らすことなく、また、前記断熱板を設けることにより、前記パネル体と前記断熱板の密着部が消費者の目に触れることもない。さらに前記断熱板に表示板を構成することにより、表示板にて販売する商品をアピールでき、消費者の購買意欲をさらに高めることができる。また、前記断熱板を、前記保持部にて前記パネル体に保持することにより、前記保持部の解放によって前記断熱板を取り外すことができ、販売する商品の変更に応じて、前記表示板を取り替えることができる。
【０００９】
また、断熱板の端部に形成した突出部と、パネル体の枠部に形成され突出部が挿入される切り込みとを設け、断熱板はパネル体の両側に設けられた切り込みに差し込むことにより保持されており、断熱板を左右に摺動させることにより取り外すことができる。
【００１０】
さらに、断熱板が回動可能に軸支されている。
これにより、断熱板を解放する際に、前記パネル体と離れてしまうことがないため、断熱板の付け忘れや断熱板の紛失などをすることがない。
【００１１】
以下、本発明の実施の形態について、図１から図３を用いて説明する。
（実施の形態１）
図１は、本発明の実施の形態１による自動販売機の斜視図である。
【００１２】
図１において外箱１１と断熱された内箱１２は、商品収容部１３と制御装置収容部１４からなり、商品収容部１３は販売する商品を収容する商品収容棚１５と、販売指令に基づいて販売する商品を商品収容棚１５から搬送する商品搬送装置１６と、内箱１２を上下に分割する断熱体１７が配置されている。また、制御装置収容部１４は販売指令により商品搬送装置１６を作動させる制御装置１８と、制御装置１８と断熱された冷熱装置１９と、で構成されている。１ａはドアで、外箱１１とヒンジ１ｂにて軸支されている。１ｃはパネル体であり、ガラスなどでできた透明なパネルを枠部に嵌め込んで形成され、商品収容部１３に対向して設けられており、販売する商品を外部より視認可能とする。パネル体１ｃは断熱などを考慮して二重のガラスなどで構成されている。１ｄは接客部で、制御装置収容部１４に対向して配置されており商品選択ボタンと硬貨投入口と商品取出し装置とで、構成されている。１ｅは断熱板であり、熱伝導をしないように硬質塩化ビニルなどの樹脂でできている。１ｆは保持部であり、断熱板１ｅの両端に設けられている。保持部１ｆは取り外し可能となるように、ビスなどで固定できるように構成されている。保持部１ｆによって、断熱板１ｅは、ドア閉時に断熱板１ｅと断熱体１７の前面と水平方向に密着する位置にパネル体１ｃに保持される。１ｇは表示板であり、商品の表示、または商品をアピールするものである。例えば、硬質樹脂に商品名などが印刷されており、消費者に販売する商品をアピールするものである。表示板１ｇは、断熱板１ｅとパネル体１ｃの間に配置され、断熱板１ｅに設けられた溝にはめ込むように保持されている。
【００１３】
ここで、季節などの変化または販売する商品の変更などの理由により、表示板１ｇを取り外す場合には、保持部１ｆを解放することにより、断熱板１ｅを取り外し、表示板１ｇの交換を行うことができる。
【００１４】
また、パネル体１ｃと断熱板１ｅの密着部は、パネル体１ｃが透明であるため、消費者に見える場所となる。そこで断熱板１ｅを取り外すことによって、パネル体１ｃ側の、パネル体１ｃと断熱板１ｅの密着部を清掃し清潔に保つことができる。
【００１５】
（実施の形態２）
図２は、本発明の実施の形態２による自動販売機の要部斜視図である。２１はパネル体で左右両側に細い切り込み２２が設けられている。２３は断熱板であり、左右両端は差し込みを可能とする突出部２４があり、この突出部２４をパネル体２１の切り込み２２に差し込むことにより両端を保持する。このとき突出部２４の水平方向の寸法は切り込み２２の係り代を見込んだものであるが、断熱板２３を左側一杯にずらしたとき、右側の突出部２４が切り込み２２から外れる寸法にすることで、断熱板２３を簡単に取り外すことができる。これにより、工具などを使うことなく、また断熱板２３の保持に余分な部品を用いることなく断熱板２３の保持および断熱板２３の取り外しを行うことができる。
【００１６】
また、ここでは断熱板２３の保持に部品を全く必要としない場合を例として述べたが、片側にスプリングを設けた止め具を取りつけることによって保持している際の左右のがたつきをなくすことができる。
【００１７】
（実施の形態３）
図３は、本発明の実施の形態３による自動販売機の要部斜視図である。図３において、３１は断熱板であり、片側にヒンジ３２を設けている。また、３３は止め具であり、断熱板３１のヒンジ３２と対向する辺に設けられている。３４はパネル体であり、ヒンジ３２によって断熱板３１はパネル体３４に取り付けられ、止め具３３によってパネル体３４に保持されている。ここで、止め具３３を解放することにより、断熱板３１は、ヒンジ３２を軸として回動し、断熱板３１とパネル体３４の密着部を解放する。
【００１８】
これによりパネル体３４の断熱板３１との密着部を清掃したり、断熱板３１に設けられた表示板３５の交換作業において、断熱板３１を取り外してしまうことなく作業を行うことができる。さらに断熱板３１を取り外さないため、作業終了時に断熱板３１の付け忘れや、紛失してしまうことがない。
【００１９】
また、図３ではパネル体３４の左側面にヒンジ３２を構成した図となっているが、ヒンジ３２は断熱板３１の一辺を軸とすればよく、例えば、水平方向に軸支してもよい。
【００２０】
【発明の効果】
前記に説明するように、販売する商品を外部より視認可能とする自動販売機において、加温された商品と冷却された商品を販売する際に、内箱に設けられた断熱体と、パネル体との密着部において、冷気が漏れないように設けられた断熱板を取り外し可能とすることによって、断熱板に設けられた販売する商品をアピールする表示板の交換や、パネル体の密着部の清掃作業を簡単にすることができる。
【００２１】
さらに、断熱板の保持に部品を使うことなく、差し込みによる保持方法とすることにより、工具などを使うことなく、片手で断熱板を左右に摺動させることによって、断熱板を取り外すことができる。
【００２２】
さらにヒンジを用いて断熱板をパネル体に軸支させることによってパネル体の清掃作業や、表示板の交換作業時に、断熱板を外さずに作業できるため、作業終了時の付け忘れや断熱板の紛失などの恐れがない。
【図面の簡単な説明】
【図１】本発明の自動販売機による実施の形態１の斜視図
【図２】本発明の自動販売機による実施の形態２の要部斜視図
【図３】本発明の自動販売機による実施の形態３の要部斜視図
【図４】本発明の従来例による斜視図
【符号の説明】
１  装置本体
１ａ  ドア
１ｂ  ヒンジ
１ｃ  パネル体
１ｄ  接客部
１ｅ  断熱板
１ｆ  保持部
１ｇ  表示板
２  外箱
３  ドア
４  パネル体
５  接客部
１１  外箱
１２  内箱
１３  商品収容部
１４  制御装置収容部
１５  商品収容棚
１６  商品搬送装置
１７  断熱体
１８  制御装置
１９  冷熱装置
２１  パネル体
２２  断熱板
３１  断熱板
３２  ヒンジ
３３  止め具
３４  パネル体
【図１】
0003621800.tif 000002
【図２】
0003621800.tif 000003
【図３】
0003621800.tif 000004
【図４】
0003621800.tif 000005